(57)【要約】【課題】安価で、かつ色収差と温度変化によるピントのずれを良好に補正した結像レンズ、およびこの結像レンズを備えた光学装置を提供する。【解決手段】結像レンズ中に、負の屈折率変化率を有しながら比較的低分散かつ高屈折率である条件を示す所定の条件式（１）〜（３）を満足する正レンズを少なくとも１枚有し、低分散材料であることを意味する条件式（４）を満足するレンズを有する場合、条件式（４）を満足するレンズは、所定の条件式（５）を満足するものとする。【選択図】図１
2019060972.tif 000002
【特許請求の範囲】
【請求項１】
複数枚のレンズを組み合わせてなる結像レンズであって、
該結像レンズに含まれる正レンズのｄ線における屈折率をｎＰ、
該正レンズのｄ線におけるアッベ数をνＰ、
該正レンズの２５℃での温度変化に対するｄ線における屈折率変化率をｄｎＰ／ｄｔとした場合、
１．６５＜ｎＰ＜１．７５  …（１）
４５＜νＰ＜５５  …（２）
ｄｎＰ／ｄｔ＜０×１０−６／℃  …（３）
で表される条件式（１）〜（３）を満足する正レンズを少なくとも１枚有し、
前記結像レンズに含まれるレンズのｄ線におけるアッベ数をνｄ、
前記結像レンズに含まれるレンズの部分分散比をθｇＦとした場合、
６０＜νｄ  …（４）
で表される条件式（４）を満足するレンズを有する場合、該条件式（４）を満足するレンズは、
０．６＜θｇＦ＋０．００１６１８×νｄ＜０．６４４  …（５）
で表される条件式（５）を満足する結像レンズ。
【請求項２】
条件式（１）〜（３）を満足する正レンズは、
該正レンズの焦点距離をｆＰ、
無限遠物体合焦時の全系の焦点距離をｆとした場合、
１＜ｆＰ／ｆ＜１５  …（６）
で表される条件式（６）を満足する
請求項１記載の結像レンズ。
【請求項３】
前記結像レンズに含まれる負レンズのｄ線における屈折率をｎＮ、
該負レンズのｄ線におけるアッベ数をνＮ、
該負レンズの２５℃での温度変化に対するｄ線における屈折率変化率をｄｎＮ／ｄｔとした場合、
１．６＜ｎＮ＜１．８５  …（７）
４０＜νＮ＜６０  …（８）
６×１０−６／℃＜ｄｎＮ／ｄｔ  …（９）
で表される条件式（７）〜（９）を満足する負レンズを少なくとも１枚有する
請求項１または２記載の結像レンズ。
【請求項４】
条件式（７）〜（９）を満足する負レンズは、
該負レンズの焦点距離をｆＮ、
無限遠物体合焦時の全系の焦点距離をｆとした場合、
−１０＜ｆＮ／ｆ＜−０．５  …（１０）
で表される条件式（１０）を満足する
請求項３記載の結像レンズ。
【請求項５】
条件式（１）〜（３）を満足する正レンズの各レンズ面における近軸軸上光線の高さの最大値をＨＰ、
前記結像レンズに含まれる全レンズの各レンズ面における近軸軸上光線の高さの最大値をＨｍａｘとした場合、
０．５＜｜ＨＰ／Ｈｍａｘ｜  …（１１）
で表される条件式（１１）を満足する
請求項１から４のいずれか１項記載の結像レンズ。
【請求項６】
条件式（１）〜（３）を満足する正レンズは、
１．６９＜ｎＰ＜１．７１  …（１−１）
で表される条件式（１−１）を満足する
請求項１記載の結像レンズ。
【請求項７】
条件式（１）〜（３）を満足する正レンズは、
５０＜νＰ＜５２  …（２−１）
で表される条件式（２−１）を満足する
請求項１記載の結像レンズ。
【請求項８】
条件式（１）〜（３）を満足する正レンズは、
−２×１０−６／℃＜ｄｎＰ／ｄｔ＜−１×１０−６／℃  …（３−１）
で表される条件式（３−１）を満足する
請求項１記載の結像レンズ。
【請求項９】
６０＜νｄ＜７５  …（４−１）
で表される条件式（４−１）を満足するレンズを有する場合、該条件式（４−１）を満足するレンズは、前記条件式（５）を満足する
請求項１記載の結像レンズ。
【請求項１０】
条件式（１）〜（３）を満足する正レンズは、
１．２＜ｆＰ／ｆ＜１２  …（６−１）
で表される条件式（６−１）を満足する
請求項２記載の結像レンズ。
【請求項１１】
条件式（７）〜（９）を満足する負レンズは、
１．６５＜ｎＮ＜１．８  …（７−１）
で表される条件式（７−１）を満足する
請求項３記載の結像レンズ。
【請求項１２】
条件式（７）〜（９）を満足する負レンズは、
４２＜νＮ＜５７  …（８−１）
で表される条件式（８−１）を満足する
請求項３記載の結像レンズ。
【請求項１３】
条件式（７）〜（９）を満足する負レンズは、
６．５×１０−６／℃＜ｄｎＮ／ｄｔ＜１１×１０−６／℃  …（９−１）
で表される条件式（９−１）を満足する
請求項３記載の結像レンズ。
【請求項１４】
条件式（７）〜（９）を満足する負レンズは、
−７＜ｆＮ／ｆ＜−１  …（１０−１）
で表される条件式（１０−１）を満足する
請求項４記載の結像レンズ。
【請求項１５】
０．６５＜｜Ｈｐ／Ｈｍａｘ｜≦１  …（１１−１）
で表される条件式（１１−１）を満足する
請求項５記載の結像レンズ。
【請求項１６】
請求項１から１５のいずれか１項記載の結像レンズを備えた光学装置。
【発明の詳細な説明】
【技術分野】
【０００１】
本発明は、車載カメラやデジタルカメラ等に好適な結像レンズ、およびこの結像レンズを備えた光学装置に関するものである。
【背景技術】
【０００２】
デジタルカメラ等の光学装置に好適な結像レンズとしては、例えば下記特許文献１に記載のものが知られている。
【先行技術文献】
【特許文献】
【０００３】
【特許文献１】特開平０８−２９７２４４号公報
【発明の概要】
【発明が解決しようとする課題】
【０００４】
高精細な結像レンズを実現するためには、色収差を抑えることが重要で、色収差の２次スペクトルを補正するには異常分散性の大きい材料が有効である。異常分散性の大きい材料は温度に対する屈折率変化が大きいことから、この材料を使用して色収差とともに温度変化によるピントのずれの補正を図った結像レンズが提案されている。特許文献１では、異常分散性の大きい材料を使い温度によるピントのずれの補正を図っているものの、この材料は高価であるため、昨今の結像レンズに求められる低廉化の要求に応えることができない。                  
【０００５】
本発明は上記事情に鑑みてなされたものであり、安価で、かつ色収差と温度変化によるピントのずれを良好に補正した結像レンズ、およびこの結像レンズを備えた光学装置を提供することを目的とするものである。
【課題を解決するための手段】
【０００６】
本発明の結像レンズは、複数枚のレンズを組み合わせてなる結像レンズであって、結像レンズに含まれる正レンズのｄ線における屈折率をｎＰ、正レンズのｄ線におけるアッベ数をνＰ、正レンズの２５℃での温度変化に対するｄ線における屈折率変化率をｄｎＰ／ｄｔとした場合、条件式（１）〜（３）を満足する正レンズを少なくとも１枚有し、結像レンズに含まれるレンズのｄ線におけるアッベ数をνｄ、結像レンズに含まれるレンズの部分分散比をθｇＦとした場合、条件式（４）を満足するレンズを有する場合、条件式（４）を満足するレンズは、条件式（５）を満足する。
１．６５＜ｎＰ＜１．７５  …（１）
４５＜νＰ＜５５  …（２）
ｄｎＰ／ｄｔ＜０×１０−６／℃  …（３）
６０＜νｄ  …（４）
０．６＜θｇＦ＋０．００１６１８×νｄ＜０．６４４  …（５）
【０００７】
なお、条件式（１）〜（３）を満足する正レンズは、条件式（１−１）、（２−１）、（３−１）の少なくとも１つをさらに満足することが好ましい。
１．６９＜ｎＰ＜１．７１  …（１−１）
５０＜νＰ＜５２  …（２−１）
−２×１０−６／℃＜ｄｎＰ／ｄｔ＜−１×１０−６／℃  …（３−１）
【０００８】
また、条件式（４）の代わりに条件式（４−１）を満足してもよい。
６０＜νｄ＜７５  …（４−１）
【０００９】
本発明の結像レンズにおいては、条件式（１）〜（３）を満足する正レンズは、正レンズの焦点距離をｆＰ、無限遠物体合焦時の全系の焦点距離をｆとした場合、条件式（６）を満足することが好ましく、条件式（６−１）を満足することがより好ましい。なお、正レンズが接合されている場合には、正レンズの前後を空気として計算するものとする。
１＜ｆＰ／ｆ＜１５  …（６）
１．２＜ｆＰ／ｆ＜１２  …（６−１）
【００１０】
また、結像レンズに含まれる負レンズのｄ線における屈折率をｎＮ、負レンズのｄ線におけるアッベ数をνＮ、負レンズの２５℃での温度変化に対するｄ線における屈折率変化率をｄｎＮ／ｄｔとした場合、条件式（７）〜（９）を満足する負レンズを少なくとも１枚有することが好ましい。
１．６＜ｎＮ＜１．８５  …（７）
４０＜νＮ＜６０  …（８）
６×１０−６／℃＜ｄｎＮ／ｄｔ  …（９）
【００１１】
ここで、条件式（７）〜（９）を満足する負レンズは、条件式（７−１）、（８−１）、（９−１）の少なくとも１つをさらに満足することが好ましい。
１．６５＜ｎＮ＜１．８  …（７−１）
４２＜νＮ＜５７  …（８−１）
６．５×１０−６／℃＜ｄｎＮ／ｄｔ＜１１×１０−６／℃  …（９−１）
【００１２】
また、条件式（７）〜（９）を満足する負レンズは、負レンズの焦点距離をｆＮ、無限遠物体合焦時の全系の焦点距離をｆとした場合、条件式（１０）を満足することが好ましく、条件式（１０−１）を満足することがより好ましい。なお、負レンズが接合されている場合には、負レンズの前後を空気として計算するものとする。
−１０＜ｆＮ／ｆ＜−０．５  …（１０）
−７＜ｆＮ／ｆ＜−１  …（１０−１）
【００１３】
また、条件式（１）〜（３）を満足する正レンズの各レンズ面における近軸軸上光線の高さの最大値をＨＰ、結像レンズに含まれる全レンズの各レンズ面における近軸軸上光線の高さの最大値をＨｍａｘとした場合、条件式（１１）を満足することが好ましく、条件式（１１−１）を満足することがより好ましい。
０．５＜｜ＨＰ／Ｈｍａｘ｜  …（１１）
０．６５＜｜Ｈｐ／Ｈｍａｘ｜≦１  …（１１−１）
【００１４】
本発明の光学装置は、上記記載の本発明の結像レンズを備えたものである。
【００１５】
なお、上記「〜からなる」とは、構成要素として挙げたもの以外に、実質的に屈折力を有さないレンズ、絞りやマスクやカバーガラスやフィルタ等のレンズ以外の光学要素、レンズフランジ、レンズバレル、撮像素子、手ぶれ補正機構等の機構部分、等を含んでもよいことを意図するものである。
【００１６】
また、上記のレンズの面形状、屈折力の符号、および曲率半径は、非球面が含まれている場合は近軸領域で考えるものとする。
【００１７】
また、部分分散比θｇＦは、ｇ線(波長４３５．８ｎｍ)に対する屈折率をｎｇ、Ｆ線(波長４８６．１ｎｍ)に対する屈折率をｎＦ、Ｃ線(波長６５６．３ｎｍ)に対する屈折率をｎＣとした場合、下記式で表されるものである。
θｇＦ＝（ｎｇ−ｎＦ）／（ｎＦ−ｎＣ）
【００１８】
また、近軸軸上光線の高さについては「光学技術シリーズ１  レンズ設計法」（松居吉哉著、共立出版）のｐｐ．１９、（２．１０）〜（２．１２）式による近軸光線追跡における定義に準ずる。
【発明の効果】
【００１９】
本発明の結像レンズは、複数枚のレンズを組み合わせてなる結像レンズであって、結像レンズに含まれる正レンズのｄ線における屈折率をｎＰ、正レンズのｄ線におけるアッベ数をνＰ、正レンズの２５℃での温度変化に対するｄ線における屈折率変化率をｄｎＰ／ｄｔとした場合、条件式（１）〜（３）を満足する正レンズを少なくとも１枚有し、結像レンズに含まれるレンズのｄ線におけるアッベ数をνｄ、結像レンズに含まれるレンズの部分分散比をθｇＦとした場合、条件式（４）を満足するレンズを有する場合、条件式（４）を満足するレンズは、条件式（５）を満足するようにしたので、安価で、かつ色収差と温度変化によるピントのずれを良好に補正した結像レンズ、およびこの結像レンズを備えた光学装置を提供することができる。
１．６５＜ｎＰ＜１．７５  …（１）
４５＜νＰ＜５５  …（２）
ｄｎＰ／ｄｔ＜０×１０−６／℃  …（３）
６０＜νｄ  …（４）
０．６＜θｇＦ＋０．００１６１８×νｄ＜０．６４４  …（５）
【図面の簡単な説明】
【００２０】
【図１】本発明の一実施形態にかかる結像レンズ（実施例１と共通）のレンズ構成を示す断面図
【図２】本発明の実施例２の結像レンズのレンズ構成を示す断面図
【図３】本発明の実施例３の結像レンズのレンズ構成を示す断面図
【図４】本発明の実施例４の結像レンズのレンズ構成を示す断面図
【図５】本発明の実施例５の結像レンズのレンズ構成を示す断面図
【図６】本発明の実施例６の結像レンズのレンズ構成を示す断面図
【図７】本発明の実施例１の結像レンズの各収差図
【図８】本発明の実施例２の結像レンズの各収差図
【図９】本発明の実施例３の結像レンズの各収差図
【図１０】本発明の実施例４の結像レンズの各収差図
【図１１】本発明の実施例５の結像レンズの各収差図
【図１２】本発明の実施例６の結像レンズの各収差図
【図１３】本発明の一実施形態にかかる光学装置の概略構成図
【図１４】本発明のその他の実施形態による光学装置の前面側を示す斜視図
【図１５】図１４の光学装置の背面側を示す斜視図
【発明を実施するための形態】
【００２１】
以下、本発明の一実施形態について図面を参照して詳細に説明する。図１は本発明の一実施形態にかかる結像レンズのレンズ構成を示す断面図である。図１に示す構成例は、後述の実施例１の結像レンズの構成と共通である。図１においては、左側が物体側、右側が像側であり、図示されている開口絞りＳｔは必ずしも大きさや形状を表すものではなく、光軸Ｚ上の位置を示すものである。また、図１は、無限遠物体に合焦した状態を示しており、軸上光束ａおよび最大画角の光束ｂを併せて記入している。
【００２２】
なお、結像レンズが光学装置に搭載される際には、光学装置の仕様に応じた各種フィルタおよび／または保護用のカバーガラスを備えることが好ましいため、図１ではこれらを想定した平行平面板状の光学部材ＰＰをレンズ系と像面Ｓｉｍとの間に配置した例を示している。しかし、光学部材ＰＰの位置は図１に示すものに限定されないし、光学部材ＰＰを省略した構成も可能である。
【００２３】
本実施形態の結像レンズは、複数枚のレンズを組み合わせてなる結像レンズであって、結像レンズに含まれる正レンズのｄ線における屈折率をｎＰ、正レンズのｄ線におけるアッベ数をνＰ、正レンズの２５℃での温度変化に対するｄ線における屈折率変化率をｄｎＰ／ｄｔとした場合、条件式（１）〜（３）を満足する正レンズを少なくとも１枚有し、結像レンズに含まれるレンズのｄ線におけるアッベ数をνｄ、結像レンズに含まれるレンズの部分分散比をθｇＦとした場合、条件式（４）を満足するレンズを有する場合、条件式（４）を満足するレンズは、条件式（５）を満足するように構成されている。
１．６５＜ｎＰ＜１．７５  …（１）
４５＜νＰ＜５５  …（２）
ｄｎＰ／ｄｔ＜０×１０−６／℃  …（３）
６０＜νｄ  …（４）
０．６＜θｇＦ＋０．００１６１８×νｄ＜０．６４４  …（５）
【００２４】
一般的に低分散で異常分散性の大きい材料は、温度変化に対する屈折率変化が負の大きな値であるため、それらを多く用いると温度変化によるピントのずれが大きくなる。特に正レンズに異常分散性の大きい材料を多く用いると、温度変化に対する補正が過剰（プラス）になる傾向にある。反対に異常分散性の小さい材料のみで構成したレンズ系の場合、温度変化に対する補正が不足（マイナス）になる傾向にある。補正不足のレンズ系の正レンズに異常分散性の大きい材料を使うことによって温度補正は可能であるが、低廉化という意味で好ましくない。
【００２５】
そこで、本実施形態の結像レンズにおいては、条件式（１）〜（３）を満足する正レンズを少なくとも１枚配置している。条件式（１）〜（３）を満足する正レンズとは、すなわち、負の屈折率変化率を有しながら比較的低分散かつ高屈折率である正レンズであるが、多くの光学材料は正の屈折率変化率を有しているため、条件式（１）〜（３）を満足する正レンズと、他の一般的な光学材料からなるレンズを組み合わせることによって、色収差と温度変化によるピントのずれを良好に補正することが可能となる。
【００２６】
また、条件式（４）を満足するレンズを有する場合、条件式（４）を満足するレンズは、条件式（５）を満足するものとしている。これは、低分散でかつ異常分散性の大きい高価な光学材料を使用していないことを意味しており、これによって安価な結像レンズとすることが可能となる。
【００２７】
条件式（１）の下限以下とならないようにすることによって、屈折率が弱くなり過ぎるのを防ぎ、温度補正効果を得るための充分な屈折力を確保することができる。条件式（１）の上限以上とならないようにすることによって、屈折率が大きくなり過ぎるのを防ぎ、色収差補正に必要なアッベ数を確保することができる。なお、条件式（１−１）を満足するものとすれば、より良好な特性とすることができる。
１．６９＜ｎＰ＜１．７１  …（１−１）
【００２８】
条件式（２）の下限以下とならないようにすることによって、倍率色収差および軸上色収差の補正に有利となる。条件式（２）の上限以上とならないようにすることによって、色収差補正と屈折率との両立に有利となる。なお、条件式（２−１）を満足するものとすれば、より良好な特性とすることができる。
５０＜νＰ＜５２  …（２−１）
【００２９】
条件式（３）の下限以下とならないようにすることによって、温度変化に対する屈折率変化が大きくなり過ぎるのを防ぎ、ピントのずれが補正過剰になるのを防ぐことができる。条件式（３）の上限以上とならないようにすることによって、屈折率変化率を負の状態に維持できるため、一般的な光学材料からなるレンズと組み合わせることによって、温度変化によるピントのずれを補正することが可能となる。なお、条件式（３−１）を満足するものとすれば、より良好な特性とすることができる。
−２×１０−６／℃＜ｄｎＰ／ｄｔ＜−１×１０−６／℃  …（３−１）
【００３０】
条件式（４）は、低分散材料であることを意味する。なお、条件式（４）の代わりに条件式（４−１）を満足してもよい。条件式（４）の上限以上とならないようにすることによって、高価な材料を使用する必要がなくなるため、低廉化に有利となる。
６０＜νｄ＜７５  …（４−１）
【００３１】
条件式（４）を満足するレンズについて、条件式（５）の下限以下とならないようにすることによって異常分散性が小さくなりなり過ぎるのを防ぐことができるため、２次スペクトルの補正が容易となる。条件式（５）の上限以上とならないようにすることによって、異常分散性が大きくなり過ぎるのを防ぐことができ、高価な光学材料を使用する必要がなくなるため、低廉化に有利となる。
【００３２】
本実施形態の結像レンズにおいては、条件式（１）〜（３）を満足する正レンズは、正レンズの焦点距離をｆＰ、無限遠物体合焦時の全系の焦点距離をｆとした場合、条件式（６）を満足することが好ましい。条件式（６）の下限以下とならないようにすることによって、正レンズの屈折力が強くなり過ぎるのを防ぐことができるため、温度補正効果が大きくなり過ぎるのを防ぐことができる。条件式（６）の上限以上とならないようにすることによって、正レンズの屈折力が弱くなり過ぎるのを防ぐことができるため、温度補正効果が小さくなり過ぎるのを防ぐことができる。なお、条件式（６−１）を満足するものとすれば、より良好な特性とすることができる。
１＜ｆＰ／ｆ＜１５  …（６）
１．２＜ｆＰ／ｆ＜１２  …（６−１）
【００３３】
また、結像レンズに含まれる負レンズのｄ線における屈折率をｎＮ、負レンズのｄ線におけるアッベ数をνＮ、負レンズの２５℃での温度変化に対するｄ線における屈折率変化率をｄｎＮ／ｄｔとした場合、条件式（７）〜（９）を満足する負レンズを少なくとも１枚有することが好ましい。条件式（７）〜（９）を満足する負レンズとは、すなわち、色収差の補正に適しておりかつ正の屈折率変化率を有する負レンズである。上記の通り、本実施形態の結像レンズにおいては、条件式（１）〜（３）を満足する正レンズ、すなわち、負の屈折率変化率を有する正レンズを有しているため、条件式（７）〜（９）を満足する負レンズを組み合わせることによって、色収差と温度変化によるピントのずれを良好に補正することが可能となる。
１．６＜ｎＮ＜１．８５  …（７）
４０＜νＮ＜６０  …（８）
６×１０−６／℃＜ｄｎＮ／ｄｔ  …（９）
【００３４】
条件式（７）の下限以下とならないようにすることによって、屈折率が小さくなり過ぎるのを防ぐことができるため、温度補正効果を得るための屈折力を確保することができる。条件式（７）の上限以上とならないようにすることによって、屈折率が大きくなり過ぎるのを防ぐことができるため、色収差補正に必要なアッベ数を確保することができる。なお、条件式（７−１）を満足するものとすれば、より良好な特性とすることができる。
１．６５＜ｎＮ＜１．８  …（７−１）
【００３５】
条件式（８）の下限以下とならないようにすることによって、倍率色収差および軸上色収差の補正に有利となる。条件式（８）の上限以上とならないようにすることによって、色収差補正と屈折率との両立に有利となる。なお、条件式（８−１）を満足するものとすれば、より良好な特性とすることができる。
４２＜νＮ＜５７  …（８−１）
【００３６】
条件式（９）の下限以下とならないようにすることによって、温度変化に対する屈折率変化が小さくなり過ぎるのを防ぐことができるため、ピントのずれが補正不足になるのを防ぐことができる。条件式（９）の上限以上とならないようにすることによって、温度変化に対する屈折率変化が大きくなり過ぎるのを防ぐことができるため、ピントのずれが補正過剰になるのを防ぐことができる。なお、条件式（９−１）を満足するものとすれば、より良好な特性とすることができる。
６．５×１０−６／℃＜ｄｎＮ／ｄｔ＜１１×１０−６／℃  …（９−１）
【００３７】
また、条件式（７）〜（９）を満足する負レンズは、負レンズの焦点距離をｆＮ、無限遠物体合焦時の全系の焦点距離をｆとした場合、条件式（１０）を満足することが好ましい。条件式（１０）の下限以下とならないようにすることによって、条件式（７）〜（９）を満足する負レンズの屈折力が弱くなり過ぎるのを防ぐことができるため、温度補正効果が小さくなり過ぎるのを防ぐことができる。条件式（１０）の上限以上とならないようにすることによって、条件式（７）〜（９）を満足する負レンズの屈折力が強くなり過ぎるのを防ぐことができるため、温度補正効果が大きくなり過ぎるのを防ぐことができる。なお、条件式（１０−１）を満足するものとすれば、より良好な特性とすることができる。
−１０＜ｆＮ／ｆ＜−０．５  …（１０）
−７＜ｆＮ／ｆ＜−１  …（１０−１）
【００３８】
また、条件式（１）〜（３）を満足する正レンズの各レンズ面における近軸軸上光線の高さの最大値をＨＰ、結像レンズに含まれる全レンズの各レンズ面における近軸軸上光線の高さの最大値をＨｍａｘとした場合、条件式（１１）を満足することが好ましい。条件式（１１）の下限以下とならないようにすることによって、条件式（１）〜（３）を満足する正レンズの近軸軸上光線の高さが低くなり過ぎるのを防ぐことができるため、温度変化に対する補正効果が弱くなり過ぎるのを防ぐことができる。なお、条件式（１１−１）を満足するものとすれば、より良好な特性とすることができる。
０．５＜｜ＨＰ／Ｈｍａｘ｜  …（１１）
０．６５＜｜Ｈｐ／Ｈｍａｘ｜≦１  …（１１−１）
【００３９】
また、図１に示す例では、レンズ系と像面Ｓｉｍとの間に光学部材ＰＰを配置した例を示したが、ローパスフィルタや特定の波長域をカットするような各種フィルタ等をレンズ系と像面Ｓｉｍとの間に配置する代わりに、各レンズの間にこれらの各種フィルタを配置してもよく、あるいは、いずれかのレンズのレンズ面に、各種フィルタと同様の作用を有するコートを施してもよい。
【００４０】
次に、本発明の結像レンズの数値実施例について説明する。まず、実施例１の結像レンズについて説明する。実施例１の結像レンズのレンズ構成を示す断面図を図１に示す。図１および後述の実施例２〜６に対応した図２〜６においては、左側が物体側、右側が像側であり、図示されている開口絞りＳｔは必ずしも大きさや形状を表すものではなく、光軸Ｚ上の位置を示すものである。また、図１〜６は、無限遠物体に合焦した状態を示している。また、図１のみ軸上光束ａおよび最大画角の光束ｂを併せて記入している。
【００４１】
実施例１の結像レンズは、物体側から順に、レンズＬ１〜レンズＬ６の６枚のレンズから構成されている。実施例１の結像レンズにおいては、レンズＬ６（材料は、株式会社オハラ製：Ｓ−ＬＡＬ２０とする。）が条件式（１）〜（３）を満足する正レンズであり、レンズＬ１（材料は、株式会社オハラ製：Ｓ−ＬＡＬ５４Ｑとする。）が条件式（７）〜（９）を満足する負レンズである。
【００４２】
実施例１の結像レンズの基本レンズデータを表１に、諸元に関するデータを表２に示す。以下では、表中の記号の意味について、実施例１のものを例にとり説明するが、実施例２〜６についても基本的に同様である。
【００４３】
表１のレンズデータにおいて、面番号の欄には最も物体側の構成要素の面を１番目として像面側に向かうに従い順次増加する面番号を示し、曲率半径の欄には各面の曲率半径を示し、面間隔の欄には各面とその次の面との光軸Ｚ上の間隔を示す。また、ｎの欄には各光学要素のｄ線（波長５８７．６ｎｍ（ナノメートル））における屈折率を示し、νの欄には各光学要素のｄ線（波長５８７．６ｎｍ（ナノメートル））におけるアッベ数を示し、ｄｎ／ｄｔの欄には各光学要素の２５℃での温度変化に対するｄ線（波長５８７．６ｎｍ（ナノメートル））における屈折率変化率を示し、θｇＦの欄には各光学要素の部分分散比を示し、条件式（５）の欄には各光学要素の条件式（５）の値を示す。なお、表１中において、ｄｎ／ｄｔの値については「×１０−６／℃」が省略されている。
【００４４】
また、曲率半径の符号は、面形状が物体側に凸の場合を正、像面側に凸の場合を負としている。基本レンズデータには、開口絞りＳｔ、光学部材ＰＰも含めて示している。開口絞りＳｔに相当する面の面番号の欄には面番号とともに（絞り）という語句を記載している。
【００４５】
表２の諸元に関するデータに、焦点距離ｆ、バックフォーカスＢｆ、ＦナンバーＦＮｏ．、全画角２ω[°]の値を示す。
【００４６】
基本レンズデータおよび諸元に関するデータにおいて、角度の単位としては°を用い、長さの単位としてはｍｍ（ミリメートル）を用いているが、光学系は比例拡大又は比例縮小しても使用可能なため他の適当な単位を用いることもできる。
【００４７】
【表１】
2019060972.tif 000003
【００４８】
【表２】
2019060972.tif 000004
【００４９】
実施例１の結像レンズの各収差図を図７に示す。なお、図７中の左側から順に球面収差、非点収差、歪曲収差、および倍率色収差を示す。球面収差、非点収差、および歪曲収差を表す各収差図には、ｄ線（波長５８７．６ｎｍ（ナノメートル））を基準波長とした収差を示す。球面収差図にはｄ線（波長５８７．６ｎｍ（ナノメートル））、Ｃ線（波長６５６．３ｎｍ（ナノメートル））およびＦ線（波長４８６．１ｎｍ（ナノメートル））についての収差をそれぞれ実線、長破線、および短破線で示す。非点収差図にはサジタル方向およびタンジェンシャル方向の収差をそれぞれ実線および短破線で示す。倍率色収差図にはＣ線（波長６５６．３ｎｍ（ナノメートル））およびＦ線（波長４８６．１ｎｍ（ナノメートル））についての収差をそれぞれ長破線および短破線で示す。なお、球面収差図のＦＮｏ．はＦナンバー、その他の収差図のωは半画角を意味する。
【００５０】
次に、実施例２の結像レンズについて説明する。実施例２の結像レンズのレンズ構成を示す断面図を図２に示す。実施例２の結像レンズは、物体側から順に、レンズＬ１〜レンズＬ６の６枚のレンズから構成されている。実施例２の結像レンズにおいては、レンズＬ４（材料は、株式会社オハラ製：Ｓ−ＬＡＬ２０とする。）が条件式（１）〜（３）を満足する正レンズであり、レンズＬ１（材料は、株式会社オハラ製：Ｓ−ＬＡＬ５４Ｑとする。）が条件式（７）〜（９）を満足する負レンズである。また、実施例２の結像レンズの基本レンズデータを表３に、諸元に関するデータを表４に、非球面係数に関するデータを表５に、各収差図を図８に示す。
【００５１】
表３のレンズデータでは、非球面の面番号に＊印を付しており、非球面の曲率半径として近軸の曲率半径の数値を示している。表５の非球面係数に関するデータには、非球面の面番号と、これら非球面に関する非球面係数を示す。表５の非球面係数の数値の「Ｅ±ｎ」（ｎ：整数）は「×１０±ｎ」を意味する。非球面係数は、下記式で表される非球面式における各係数ＫＡ、Ａｍの値である。なお、非球面係数に関するデータ中の記号の意味について、実施例２のものを例にとり説明するが、実施例３〜６についても基本的に同様である。
Ｚｄ＝Ｃ・ｈ２／｛１＋（１−ＫＡ・Ｃ２・ｈ２）１／２｝＋ΣＡｍ・ｈｍ
ただし、
Ｚｄ：非球面深さ（高さｈの非球面上の点から、非球面頂点が接する光軸に垂直な平面に下ろした垂線の長さ）
ｈ：高さ（光軸からの距離）
Ｃ：近軸曲率半径の逆数
ＫＡ、Ａｍ：非球面係数
であり、非球面深さＺｄにおけるΣはｍに関する総和を意味する。
【００５２】
【表３】
2019060972.tif 000005
【００５３】
【表４】
2019060972.tif 000006
【００５４】
【表５】
2019060972.tif 000007
【００５５】
次に、実施例３の結像レンズについて説明する。実施例３の結像レンズのレンズ構成を示す断面図を図３に示す。実施例３の結像レンズは、物体側から順に、レンズＬ１〜レンズＬ５の５枚のレンズから構成されている。実施例３の結像レンズにおいては、レンズＬ５（材料は、株式会社オハラ製：Ｓ−ＬＡＬ２０とする。）が条件式（１）〜（３）を満足する正レンズであり、レンズＬ１（材料は、株式会社オハラ製：Ｓ−ＬＡＬ５４Ｑとする。）が条件式（７）〜（９）を満足する負レンズである。また、実施例３の結像レンズの基本レンズデータを表６に、諸元に関するデータを表７に、非球面係数に関するデータを表８に、各収差図を図９に示す。
【００５６】
【表６】
2019060972.tif 000008
【００５７】
【表７】
2019060972.tif 000009
【００５８】
【表８】
2019060972.tif 000010
【００５９】
次に、実施例４の結像レンズについて説明する。実施例４の結像レンズのレンズ構成を示す断面図を図４に示す。実施例４の結像レンズは、物体側から順に、レンズＬ１〜レンズＬ６の６枚のレンズから構成されている。実施例４の結像レンズにおいては、レンズＬ５（材料は、株式会社オハラ製：Ｓ−ＬＡＬ２０とする。）が条件式（１）〜（３）を満足する正レンズであり、レンズＬ１（材料は、株式会社オハラ製：Ｓ−ＬＡＬ５４Ｑとする。）が条件式（７）〜（９）を満足する負レンズである。また、実施例４の結像レンズの基本レンズデータを表９に、諸元に関するデータを表１０に、非球面係数に関するデータを表１１に、各収差図を図１０に示す。
【００６０】
【表９】
2019060972.tif 000011
【００６１】
【表１０】
2019060972.tif 000012
【００６２】
【表１１】
2019060972.tif 000013
【００６３】
次に、実施例５の結像レンズについて説明する。実施例５の結像レンズのレンズ構成を示す断面図を図５に示す。実施例５の結像レンズは、物体側から順に、レンズＬ１〜レンズＬ９の９枚のレンズから構成されている。実施例５の結像レンズにおいては、レンズＬ５（材料は、株式会社オハラ製：Ｓ−ＬＡＬ２０とする。）が条件式（１）〜（３）を満足する正レンズであり、レンズＬ８（材料は、株式会社オハラ製：Ｓ−ＬＡＨ５２Ｑとする。）が条件式（７）〜（９）を満足する負レンズである。また、実施例５の結像レンズの基本レンズデータを表１２に、諸元に関するデータを表１３に、非球面係数に関するデータを表１４に、各収差図を図１１に示す。
【００６４】
【表１２】
2019060972.tif 000014
【００６５】
【表１３】
2019060972.tif 000015
【００６６】
【表１４】
2019060972.tif 000016
【００６７】
次に、実施例６の結像レンズについて説明する。実施例６の結像レンズのレンズ構成を示す断面図を図６に示す。実施例６の結像レンズは、物体側から順に、レンズＬ１〜レンズＬ１４の１４枚のレンズから構成されている。実施例６の結像レンズにおいては、レンズＬ８（材料は、株式会社オハラ製：Ｓ−ＬＡＬ２０とする。）が条件式（１）〜（３）を満足する正レンズであり、レンズＬ６（材料は、株式会社オハラ製：Ｓ−ＬＡＬ５４Ｑとする。）およびレンズＬ１２（材料は、株式会社オハラ製：Ｓ−ＬＡＨ５２Ｑとする。）が条件式（７）〜（９）を満足する負レンズである。また、実施例６の結像レンズの基本レンズデータを表１５に、諸元に関するデータを表１６に、非球面係数に関するデータを表１７に、各収差図を図１２に示す。
【００６８】
【表１５】
2019060972.tif 000017
【００６９】
【表１６】
2019060972.tif 000018
【００７０】
【表１７】
2019060972.tif 000019
【００７１】
実施例１〜６の結像レンズの条件式（１）〜（１１）に対応する値を表１８に示す。なお、全実施例ともｄ線を基準波長としており、下記の表１８に示す値はこの基準波長におけるものである。
【００７２】
【表１８】
2019060972.tif 000020
【００７３】
以上のデータから、実施例１〜６の結像レンズは全て、条件式（１）〜（３）、（６）〜（１１）を満足し、かつ条件式（４）を満足するレンズを有する場合には、条件式（４）を満足するレンズは条件式（５）を満足しており、安価で、かつ色収差と温度変化によるピントのずれを良好に補正した結像レンズであることが分かる。
【００７４】
次に、本発明の実施形態にかかる光学装置について説明する。ここでは、本発明の光学装置の一実施形態として車載カメラに適用した場合の例について説明する。図１３に自動車に車載カメラを搭載した様子を示す。
【００７５】
図１３において、自動車１００は、その助手席側の側面の死角範囲を撮像するための車外カメラ１０１と、自動車１００の後側の死角範囲を撮像するための車外カメラ１０２と、ルームミラーの背面に取り付けられ、ドライバーと同じ視野範囲を撮影するための車内カメラ１０３とを備えている。車外カメラ１０１と車外カメラ１０２と車内カメラ１０３とは、光学装置であり、本発明の実施の形態による結像レンズと、結像レンズにより形成される光学像を電気信号に変換する撮像素子とを備えている。本実施形態の車載カメラ（車外カメラ１０１、１０２および車内カメラ１０３）は本発明の結像レンズを備えているため、安価に構成できるとともに、良好な画像を取得することができる。
【００７６】
次に、図１４および図１５を参照して本発明のその他の実施形態にかかる光学装置について説明する。図１４、図１５にそれぞれ前面側、背面側の斜視形状を示すカメラ２００は、交換レンズ２０８が取り外し自在に装着される、レフレックスファインダーを持たない一眼形式のデジタルカメラである。交換レンズ２０８は、本発明の実施形態にかかる光学系である結像レンズ２０９を鏡筒内に収納したものである。
【００７７】
このカメラ２００はカメラボディ２０１を備え、カメラボディ２０１の上面にはシャッターボタン２０２と電源ボタン２０３とが設けられている。またカメラボディ２０１の背面には、操作部２０４、２０５と表示部２０６とが設けられている。表示部２０６は、撮像された画像や、撮像される前の画角内にある画像を表示するためのものである。
【００７８】
カメラボディ２０１の前面中央部には、撮影対象からの光が入射する撮影開口が設けられ、その撮影開口に対応する位置にマウント２０７が設けられ、マウント２０７を介して交換レンズ２０８がカメラボディ２０１に装着されるようになっている。
【００７９】
カメラボディ２０１内には、交換レンズ２０８によって形成された被写体像に応じた撮像信号を出力するＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像素子（図示せず）、その撮像素子から出力された撮像信号を処理して画像を生成する信号処理回路、およびその生成された画像を記録するための記録媒体などが設けられている。このカメラ２００では、シャッターボタン２０２を押すことにより静止画または動画の撮影が可能であり、この撮影で得られた画像データが上記記録媒体に記録される。
【００８０】
以上、実施形態および実施例を挙げて本発明を説明したが、本発明は上記実施形態および実施例に限定されず、種々の変形が可能である。例えば、各レンズの曲率半径、面間隔、屈折率、アッベ数等の値は、上記各実施例で示した値に限定されず、他の値をとり得るものである。
【００８１】
また、光学装置の実施形態では、車載カメラおよびノンレフレックス方式のデジタルカメラを例に挙げ図を示して説明したが、本発明の光学装置はこれに限定されるものではなく、例えば、ビデオカメラ、ノンレフレックス方式以外のデジタルカメラ、映画撮影用カメラ、放送用カメラ等の光学装置に本発明を適用することも可能である。さらに、本発明の結像レンズを備えた光学装置としては、上記のようなカメラに限らず、プロジェクター等、どのような装置に適用してもよい。
【符号の説明】
【００８２】
１００    自動車
１０１、１０２    車外カメラ
１０３    車内カメラ
２００    カメラ
２０１    カメラボディ
２０２    シャッターボタン
２０３    電源ボタン
２０４、２０５    操作部
２０６    表示部
２０７    マウント
２０８    交換レンズ
２０９    結像レンズ
Ｌ１〜Ｌ１４    レンズ
ＰＰ    光学部材
Ｓｉｍ    像面
Ｓｔ    開口絞り
ａ    軸上光束
ｂ    最大画角の光束
Ｚ    光軸
【図１】
2019060972.tif 000021
【図２】
2019060972.tif 000022
【図３】
2019060972.tif 000023
【図４】
2019060972.tif 000024
【図５】
2019060972.tif 000025
【図６】
2019060972.tif 000026
【図７】
2019060972.tif 000027
【図８】
2019060972.tif 000028
【図９】
2019060972.tif 000029
【図１０】
2019060972.tif 000030
【図１１】
2019060972.tif 000031
【図１２】
2019060972.tif 000032
【図１３】
2019060972.tif 000033
【図１４】
2019060972.tif 000034
【図１５】
2019060972.tif 000035